(57)【要約】【課題】火災等の災害発生時に有効に避難できるようになる昇降装置のための防災用閉鎖装置及びその作動方法を提供すること。【解決手段】エレベータで昇降するそれぞれの階に設置された防災用シャッター装置１０は制御手段で制御され、火災発生時に、初めに全部のシャッター装置１０が閉鎖され、エレベータの昇降箱３が、昇降箱３に乗っている人に指定された階に到着すると、昇降箱３の扉４とエレベータ扉６が開くとともに、この指定階のシャッター装置１０が開放され、昇降箱から人が避難した後、扉４，６が閉じ、また、指定階のシャッター装置１０は閉鎖する。【選択図】  図６
2006312063.tif 000002
【特許請求の範囲】
【請求項１】
昇降装置で昇降する複数の階に前記昇降装置の出入箇所において設置される防災用閉鎖手段と、
それぞれの前記防災用閉鎖手段と前記昇降装置とを連繋させて制御する連繋制御手段と、
を備えることを特徴とする昇降装置のための防災用閉鎖装置。
【請求項２】
災害発生時に、昇降装置で昇降する複数の階に前記昇降装置の出入箇所において設置されている防災用閉鎖手段のうちの所定の防災用閉鎖手段を閉鎖する防災用閉鎖手段閉鎖制御手段と、
閉鎖された防災用閉鎖手段が設置されていて前記昇降装置が停止した階を把握する昇降装置停止把握手段と、
この昇降装置停止把握手段が把握した階に設置されている前記防災用閉鎖手段を開放する防災用閉鎖手段開放制御手段と、
を備えることを特徴する昇降装置のための防災用閉鎖装置。
【請求項３】
災害発生時に昇降装置が通過した階を把握する通過階把握手段と、
前記昇降装置で昇降する複数の階に前記昇降装置の出入箇所において設置されている防災用閉鎖手段のうちの所定の防災用閉鎖手段のうち、前記通過階把握手段が把握した通過階の防災用閉鎖手段を閉鎖する防災用閉鎖手段閉鎖制御手段と、
を備えることを特徴とする昇降装置のための防災用閉鎖装置。
【請求項４】
災害発生時に、昇降装置で昇降する複数の階に前記昇降装置の出入箇所において設置されている防災用閉鎖手段のうちの一つを抽出する防災用閉鎖手段抽出手段と、
この防災用閉鎖手段抽出手段で抽出された防災用閉鎖手段を除く所定の前記防災用閉鎖手段を閉鎖する防災用閉鎖手段閉鎖制御手段と、
前記昇降装置を、前記防災用閉鎖手段抽出手段が抽出した防災用閉鎖手段が設置されている階に停止させる昇降装置停止制御手段と、
を備えることを特徴とする昇降装置のための防災用閉鎖装置。
【請求項５】
昇降装置で昇降する複数の階に前記昇降装置の出入箇所において設置されている防災用閉鎖手段のうちの少なくとも一つは脱出口を有し、
災害発生時に、前記脱出口を有する一つの防災用閉鎖手段を抽出する防災用閉鎖手段抽出手段と、
この防災用閉鎖手段抽出手段が抽出した防災用閉鎖手段を含む所定の前記防災用閉鎖手段を閉鎖する防災用閉鎖手段閉鎖制御手段と、
前記昇降装置を前記防災用閉鎖手段抽出手段が抽出した防災用閉鎖手段が設置されている階に停止させる昇降装置停止制御手段と、
を備えることを特徴とする昇降装置のための防災用閉鎖装置。
【請求項６】
災害発生時に、昇降装置で昇降する複数の階に前記昇降装置の出入箇所において設置されている防災用閉鎖手段のうちの所定の防災用閉鎖手段を閉鎖し、次いで、前記昇降装置を、閉鎖させた防災用閉鎖手段が設置されている階に停止させ、この階に設置されている前記防災用閉鎖手段を開放することを特徴とする昇降装置のための防災用閉鎖装置の作動方法。
【発明の詳細な説明】
【技術分野】
【０００１】
本発明は、昇降装置のための防災用閉鎖装置及びこの装置を作動させる方法に係り、例えば、エレベータ、エスカレータ等の昇降装置に設けられる防災用シャッター装置等の防災用閉鎖手段を火災等の災害発生時に作動させるために利用できるものである。
【背景技術】
【０００２】
昇降装置であるエレベータを建物や構築物に設置するためには、昇降箱を上下動させるエレベータシャフトをそれぞれの階を連通する縦穴として形成するが、それぞれの階に設けるエレベータ扉は必ずしも充分な防火性、防煙性を備えていないため、火災発生時の煙等がエレベータシャフトを介して流通するのを防止するため、特開２００１−２７０７６で示されているように、エレベータ扉に近いエレベータ出入箇所に防災用閉鎖手段を設置することが提案されている。
【０００３】
この防災用閉鎖手段に関する従来の提案は、防災用閉鎖手段の構造等についてであって、それぞれの階に設置される防災用閉鎖手段は、互いに他の防災用閉鎖手段と個別に作動するものとして開発されている
【発明の開示】
【発明が解決しようとする課題】
【０００４】
しかし、火災等の災害が発生したときには、エレベータが設置されている建物や構築物から有効に避難できるようにすることが重要である。このため、それぞれの階に設けられる防災用閉鎖手段をこのような視点に基づいて作動させなければならないが、従来、このような視点に着目して開発された防災用閉鎖装置は見当たらない。
【０００５】
本発明の目的は、火災等の災害発生時に有効に避難できるようになる昇降装置のための防災用閉鎖装置及びその作動方法を提供するところにある。
【課題を解決するための手段】
【０００６】
本発明に係る昇降装置のための防災用閉鎖装置は、昇降装置で昇降する複数の階に前記昇降装置の出入箇所において設置される防災用閉鎖手段と、これらの防災用閉鎖手段を総合制御する制御手段とを備えることを特徴とするものである。
【０００７】
この昇降装置のための防災用閉鎖装置によると、昇降装置で昇降する複数の階に設置される防災用閉鎖手段は、互いに他の防災用閉鎖手段と個別に作動するのではなく、制御手段によって総合制御されることになるため、言い換えると、それぞれの防災用閉鎖手段は互いに制御手段で関連づけられて作動するため、火災等の災害発生時において、例えば、昇降装置の運転状況や、予め決められていた決定事項、さらには災害状況や、災害が発生した階等の各種条件に応じて、それぞれの防災用閉鎖手段の閉鎖、開放の作動を互いの防災用閉鎖手段の間で制御手段によって関連づけて制御することにより、有効に避難できる状態を創出することができる。
【０００８】
したがって、制御手段によってそれぞれの防災用閉鎖手段を総合制御するための制御内容は、例えば、昇降装置の運転状況や、予め決められていた決定事項、さらには災害状況や、災害が発生した階等に応じた任意な制御内容でよい。
【０００９】
なお、この昇降装置のための防災用閉鎖装置における制御手段は、それぞれの防災用閉鎖手段を昇降装置の運転状態とは無関係に制御するものでもよい。
【００１０】
また、この昇降装置のための防災用閉鎖装置における制御手段は、１個でそれぞれの防災用閉鎖手段を総合制御するものでもよく、あるいは、例えば、防災用閉鎖手段ごとに配置された複数個となっていて、これらでそれぞれの防災用閉鎖手段を総合制御するものとなっているものでもよい。
【００１１】
また、本発明に係る昇降装置のための防災用閉鎖装置は、昇降装置で昇降する複数の階に前記昇降装置の出入箇所において設置される防災用閉鎖手段と、それぞれの前記防災用閉鎖手段と前記昇降装置とを連繋させて制御する連繋制御手段とを備えることを特徴とするものである。
【００１２】
この昇降装置のための防災用閉鎖装置によると、それぞれの防災用閉鎖手段と昇降装置はそれぞれ独立した関係で駆動制御されるのではなく、連繋制御手段によって互いに連繋した関係で駆動制御されるため、火災等の災害発生時に昇降装置を利用して避難する際に、複数の階に設置される防災用閉鎖手段の駆動制御と昇降装置の駆動制御とにより、この避難を有効に行える状態を創出できることになる。
【００１３】
言い換えると、連繋制御手段がそれぞれの防災用閉鎖手段と昇降装置の運転とを連繋させて制御することになり、このため、昇降装置を利用した避難行動と防災用閉鎖手段の作動とを関係づけることができ、これにより、一層有効に避難できる状態を創出できる。
【００１４】
この昇降装置のための防災用閉鎖装置において、前記連繋制御手段によってそれぞれの防災用閉鎖手段と昇降装置とを連繋制御する内容は、予め想定される災害発生状況や災害発生場所等に応じた任意な制御内容でよい。
【００１５】
また、昇降装置と防災用閉鎖手段とを連繋制御手段によって連繋制御する場合には、連繋制御される主体を昇降装置としてよく、防災用閉鎖手段としてもよい。
【００１６】
連繋制御される主体を昇降装置とする場合には、この連繋制御は、防災用閉鎖手段についての情報と、昇降装置で昇降する階についての情報とのうちの少なくとも一方が用いられ、昇降装置を連繋制御するための情報として少なくとも防災用閉鎖手段についての情報を用いた場合には、より有効な連繋制御を実現できる。また、連繋制御される主体を防災用閉鎖手段とする場合には、昇降装置についての情報が用いられる。
【００１７】
これらの場合において、連繋制御するために用いる防災用閉鎖手段についての情報と、昇降装置についての情報と、昇降装置で昇降する階についての情報は、連繋制御する内容等に応じて任意に決められることになる。
【００１８】
このように任意に決めることができる情報のうち、防災用閉鎖手段についての情報には、防災用閉鎖手段の属性についての情報と、防災用閉鎖手段の動作状況についての情報とがあり、防災用閉鎖手段の属性についての情報とは、例えば、防災用閉鎖手段を形成している材料、材質等に基づく防災機能、防災特性や、開放は自動的に行われるか手動で行われるか等であり、防災用閉鎖手段の動作状況についての情報とは、例えば、防災用閉鎖手段が閉鎖動作中か、開放動作中か、停止中か、閉鎖終了済みか、開放終了済みか等である。昇降装置についての情報にも、昇降装置の属性についての情報と、昇降装置の動作状況についての情報とがあり、昇降装置の属性についての情報とは、例えば、昇降装置がエレベータである場合には、昇降箱の定員人数、その昇降箱が人間用か荷物用か、人間用である場合には身障者が同乗可能の設備を有しているか否か、同一縦穴に他の昇降箱も配設されている連装タイプのものか否か等であり、昇降装置の動作状況についての情報とは、例えば、上昇動作中か、下降動作中か、停止中か、どの階を通過したか、最上階まで上昇済みか、最下階まで下降済みか等である。昇降装置で昇降する階についての情報とは、例えば、どの階が予め決められた避難階となっているか、防災用閉鎖手段が設置されている階はどの階か、防災用閉鎖手段が設置されている階では昇降装置から防災用閉鎖手段までの距離はどのくらいか（例えば、数cmから１００cmまでのうちのどのくらいか、数cmよりも小さいか、１００cmよりも大きいか）等である。
【００１９】
また、連繋制御手段は、昇降装置を駆動させるための装置や昇降装置の昇降位置を検出するための検出手段等からの信号に基づきそれぞれの防災用閉鎖手段を総合的及び／又は集中的に制御する１個のものでもよく、あるいは、例えば、防災用閉鎖手段ごとに配置された複数個となっていて、これらが、昇降装置を駆動させるための装置や昇降装置の昇降位置を検出するための検出手段等からの信号に基づきそれぞれの防災用閉鎖手段をこれらごとに制御するものでもよく、さらには、それぞれの防災用閉鎖手段から個別に送信される信号に基づき昇降装置の運転を制御する１個のものでもよく、あるいは、例えば、防災用閉鎖手段ごとに配置された複数個となっていて、これらから送信する信号により昇降装置の運転を制御するものでもよく、それぞれの防災用閉鎖手段と昇降装置とを連繋させて制御できるものであれば、任意な形態、形式、構造等のものでよい。
【００２０】
以上において、より具体的な第１例に係る昇降装置のための防災用閉鎖装置は、災害発生時に、昇降装置で昇降する複数の階に昇降装置の出入箇所において設置されている防災用閉鎖手段のうちの所定の防災用閉鎖手段を閉鎖する防災用閉鎖手段閉鎖制御手段と、閉鎖された防災用閉鎖手段が設置されていて昇降装置が停止した階を把握する昇降装置停止把握手段と、この昇降装置停止把握手段が把握した階に設置されている防災用閉鎖手段を開放する防災用閉鎖手段開放制御手段と、を備えるものである。
【００２１】
この昇降装置のための防災用閉鎖装置では、災害発生時に、昇降装置で昇降する複数の階に昇降装置の出入箇所において設置されている防災用閉鎖手段のうちの所定の防災用閉鎖手段を閉鎖し、次いで、昇降装置を、閉鎖させた防災用閉鎖手段が設置されている階に停止させ、この階に設置されている防災用閉鎖手段を開放させることができる。
【００２２】
これによると、例えば、昇降装置に乗っていた人が昇降装置を停止させることを指定した指定階において、その避難者の意志のとおりに昇降装置を停止させてこの昇降装置から脱出し、避難できることになる。
【００２３】
なお、防災用閉鎖手段閉鎖制御手段により閉鎖する前記所定の防災用閉鎖手段は、昇降装置で昇降する複数の階に昇降装置の出入箇所において設置されている全部の防災用閉鎖手段でもよく、これらの防災用閉鎖手段のうち、例えば、火災等の災害が発生した階等に応じて予め決められた防災用閉鎖手段でもよい。
【００２４】
より具体的な第２例に係る昇降装置のための防災用閉鎖装置は、災害発生時に避難階を把握する避難階把握手段と、昇降装置で昇降する複数の階に昇降装置の出入箇所において設置されている防災用閉鎖手段のうち、避難階把握手段が把握した避難階を除く所定の階の防災用閉鎖手段を閉鎖する防災用閉鎖手段閉鎖制御手段と、昇降装置を避難階把握手段が把握した避難階に停止させる昇降装置避難階停止制御手段と、昇降装置が避難階に停止したことを把握する昇降装置避難階停止把握手段と、この昇降装置避難階停止把握手段が昇降装置の停止を把握した後、昇降装置より避難者が脱出したか否かを判定する避難者脱出判定手段と、この避難者脱出判定手段が昇降装置より避難者が脱出したと判定した場合に、昇降装置避難階停止把握手段が把握した避難階に設置されている防災用閉鎖手段を閉鎖する避難階防災用閉鎖手段閉鎖制御手段と、を備えるものである。
【００２５】
この昇降装置のための防災用閉鎖装置では、災害発生時に、昇降装置で昇降する複数の階に昇降装置の出入箇所において設置されている防災用閉鎖手段における所定の防災用閉鎖手段のうち、予め決められた避難階の防災用閉鎖手段を除く残りの防災用閉鎖手段を閉鎖し、この後、昇降装置が避難階で停止してこの昇降装置より避難者が脱出してから、避難階の防災用閉鎖手段を閉鎖することができる。
【００２６】
これによると、予め決められている避難階において昇降装置より避難者を予定どおりに脱出させることができる。
【００２７】
また、この第２例によると、災害発生時に防災用閉鎖手段が行う作動は閉鎖だけとなり、防災用閉鎖手段を開放させなくてもよいため、防災用閉鎖手段は自動開放する機能を有しないものでもよく、このため、それだけ防災用閉鎖手段を簡単化できる。
【００２８】
なお、防災用閉鎖手段閉鎖制御手段により閉鎖する前記所定の階の防災用閉鎖手段は、避難階を除く全部の階の防災用閉鎖手段でもよく、これらの防災用閉鎖手段のうち、例えば、火災等の災害が発生した階等に応じて予め決められた防災用閉鎖手段でもよい。
【００２９】
より具体的な第３例に係る昇降装置のための防災用閉鎖装置は、災害発生時に、昇降装置で昇降する複数の階について危険度合いの高い順番を把握する危険度合い把握手段と、この危険度合い把握手段が把握した順番にしたがい、昇降装置で昇降する複数の階に昇降装置の出入箇所に設置されている防災用閉鎖手段のうちの複数の防災用閉鎖手段を閉鎖する危険度合い順防災用閉鎖手段閉鎖制御手段と、を備えるものである。
【００３０】
この昇降装置のための防災用閉鎖装置では、例えば、災害が発生した階の防災用閉鎖手段を最初に閉鎖し、次いで最上階の防災用閉鎖手段を閉鎖し、この後、災害発生階の下の階の防災用閉鎖手段を閉鎖するというように、災害発生時に、昇降装置で昇降する複数の階に昇降装置の出入箇所において設置されている防災用閉鎖手段のなかから、危険度合いの高い階の順番にしたがい防災用閉鎖手段を順次閉鎖することができる。
【００３１】
これによると、複数の階にいる人達に、開放されている防災用閉鎖手段を通過させて昇降装置に乗らせることにより与えることができる避難の機会は、危険度合いの低い階の順番にしたがって多くなり、避難のための機会と、防災用閉鎖手段による災害防止機能とを合理的に適合させることができる。
【００３２】
なお、危険度合い順防災用閉鎖手段閉鎖制御手段により閉鎖する前記複数の防災用閉鎖手段は、昇降装置で昇降する複数の階に昇降装置の出入箇所に設置されている全部の防災用閉鎖手段でもよく、これらの防災用閉鎖手段のうち、例えば、火災等の災害が発生した階等に応じて予め決められた防災用閉鎖手段でもよい。
【００３３】
また、最後に閉鎖する防災用閉鎖手段は最も危険度合いの低い階の防災用閉鎖手段でもよく、予め決められている避難階の防災用閉鎖手段でもよい。
【００３４】
より具体的な第４例に係る昇降装置のための防災用閉鎖装置は、災害発生時に昇降装置が通過した階を把握する通過階把握手段と、昇降装置で昇降する複数の階に昇降装置の出入箇所において設置されている防災用閉鎖手段のうちの所定の防災用閉鎖手段のうち、通過階把握手段が把握した通過階の防災用閉鎖手段を閉鎖する防災用閉鎖手段閉鎖制御手段と、を備えるものである。
【００３５】
この第４例によると、昇降装置が通過し、したがって昇降装置を利用して避難しないことが明らかになった階の防災用閉鎖手段を閉鎖させることができる。
【００３６】
なお、昇降装置が通過したために防災用閉鎖手段閉鎖制御手段により閉鎖する前記所定の防災用閉鎖手段は、昇降装置で昇降する複数の階に昇降装置の出入箇所において設置されている全部の防災用閉鎖手段でもよく、これらの防災用閉鎖手段のうち、例えば、火災等の災害が発生した階等に応じて予め決められた防災用閉鎖手段でもよい。
【００３７】
より具体的な第５例に係る昇降装置のための防災用閉鎖装置は、災害発生時に、昇降装置で昇降する複数の階に昇降装置の出入箇所において設置されている防災用閉鎖手段のうちの一つを抽出する防災用閉鎖手段抽出手段と、この防災用閉鎖手段抽出手段で抽出された防災用閉鎖手段を除く所定の防災用閉鎖手段を閉鎖する防災用閉鎖手段閉鎖制御手段と、昇降装置を、防災用閉鎖手段抽出手段が抽出した防災用閉鎖手段が設置されている階に停止させる昇降装置停止制御手段と、を備えるものである。
【００３８】
この第５例は、昇降装置で昇降する複数の階に昇降装置の出入箇所において設置されている防災用閉鎖手段と、集中制御手段等の制御手段との間が、双方向で信号を送受信できる制御系となっている場合、又は防災用閉鎖手段から制御手段へ信号を送信できる制御系となっている場合に適用でき、災害が発生したとき、例えば、それぞれの防災用閉鎖手段には記憶部が設けられ、それぞれの記憶部には、その記憶部が設けられた防災用閉鎖手段が備えている防災機能情報が記憶されているため、それぞれの防災用閉鎖手段から送信される防災機能情報に基づき、昇降装置を停止させて避難者を避難させるために都合のよい防災用閉鎖手段が設置されている階を選択できるようになる。
【００３９】
なお、防災用閉鎖手段抽出手段で抽出された防災用閉鎖手段を除き、防災用閉鎖手段閉鎖制御手段により閉鎖する前記所定の防災用閉鎖手段は、昇降装置で昇降する複数の階に昇降装置の出入箇所において設置されている全部の防災用閉鎖手段でもよく、これらの防災用閉鎖手段のうち、例えば、火災等の災害が発生した階等に応じて予め決められた防災用閉鎖手段でもよい。
【００４０】
より具体的な第６例に係る昇降装置のための防災用閉鎖装置は、昇降装置で昇降する複数の階に昇降装置の出入箇所において設置されている防災用閉鎖手段のうちの少なくとも一つは脱出口を有し、災害発生時に、脱出口を有する一つの防災用閉鎖手段を抽出する防災用閉鎖手段抽出手段と、この防災用閉鎖手段抽出手段が抽出した防災用閉鎖手段を含む所定の防災用閉鎖手段を閉鎖する防災用閉鎖手段閉鎖制御手段と、昇降装置を防災用閉鎖手段抽出手段が抽出した防災用閉鎖手段が設置されている階に停止させる昇降装置停止制御手段と、を備えるものである。
【００４１】
この第６例によると、昇降装置を、脱出口を有する防災用閉鎖手段が設置された階に停止させることができるため、この脱出口を利用して有効に避難できる。
【００４２】
なお、防災用閉鎖手段閉鎖制御手段により閉鎖する前記所定の防災用閉鎖手段は、昇降装置で昇降する複数の階に昇降装置の出入箇所において設置されている全部の防災用閉鎖手段でもよく、これらの防災用閉鎖手段のうち、例えば、火災等の災害が発生した階等に応じて予め決められた防災用閉鎖手段でもよい。
【００４３】
より具体的な第７例に係る昇降装置のための防災用閉鎖装置は、災害発生時に、昇降装置で昇降する複数の階に昇降装置の出入箇所において設置されている防災用閉鎖手段のうちの所定の防災用閉鎖手段を閉鎖する防災用閉鎖手段閉鎖制御手段と、防災用閉鎖手段のうち、避難者の脱出に不適正となっている防災用閉鎖手段を抽出する脱出不適正防災用閉鎖手段抽出手段と、昇降装置を、この脱出不適正防災用閉鎖手段抽出手段が抽出した防災用閉鎖手段が設置されている階を通過させる昇降装置通過制御手段と、を備えるものである。
【００４４】
この第７例によると、開放等しても避難者の脱出に不適正となっている防災用閉鎖手段が設置されている階について、昇降装置を通過させることができ、これにより、避難者の脱出に適正となっている防災用閉鎖手段が設置されている階又は避難階等に指定されていて防災用閉鎖手段が設置されていない階等に昇降装置を停止させることができるため、災害からに避難を有効に行える。
【００４５】
なお、防災用閉鎖手段閉鎖制御手段により閉鎖する前記所定の防災用閉鎖手段は、昇降装置で昇降する複数の階に昇降装置の出入箇所において設置されている全部の防災用閉鎖手段でもよく、これらの防災用閉鎖手段のうち、例えば、火災等の災害が発生した階等に応じて予め決められた防災用閉鎖手段でもよい。
【００４６】
以上の本発明に係る昇降装置のための防災用閉鎖装置において、制御手段はプログラムに基づき作動するコンピュータでもよく、リレースイッチ等で組み立てられたシーケンス回路等でもよく、それぞれの防災用閉鎖手段や昇降装置を制御できるものであれば、任意な構造、形式等の制御手段でよい。
【００４７】
そして、本発明に係る昇降装置のための防災用閉鎖装置の作動方法は、災害発生時に、昇降装置で昇降する複数の階に昇降装置の出入箇所において設置されている防災用閉鎖手段のうちの所定の防災用閉鎖手段を閉鎖し、次いで、昇降装置を、閉鎖させた防災用閉鎖手段が設置されている階に停止させ、この階に設置されている防災用閉鎖手段を開放することを特徴とするものである。
【００４８】
なお、閉鎖する前記所定の防災用閉鎖手段は、昇降装置で昇降する複数の階に昇降装置の出入箇所において設置されている全部の防災用閉鎖手段でもよく、これらの防災用閉鎖手段のうち、例えば、火災等の災害が発生した階等に応じて予め決められた防災用閉鎖手段でもよい。
【００４９】
また、本発明に係る昇降装置のための防災用閉鎖装置の作動方法は、災害発生時に、昇降装置で昇降する複数の階に昇降装置の出入箇所において設置されている防災用閉鎖手段のうちの所定の防災用閉鎖手段のうち、予め決められた避難階の防災用閉鎖手段を除く残りの防災用閉鎖手段を閉鎖し、この後、昇降装置が避難階で停止してこの昇降装置より避難者が脱出してから、避難階の防災用閉鎖手段を閉鎖することを特徴とするものである。
【００５０】
なお、予め決められた避難階の防災用閉鎖手段を除いて閉鎖する前記所定の防災用閉鎖手段は、昇降装置で昇降する複数の階に昇降装置の出入箇所において設置されている全部の防災用閉鎖手段でもよく、これらの防災用閉鎖手段のうち、例えば、火災等の災害が発生した階等に応じて予め決められた防災用閉鎖手段でもよい。
【００５１】
さらに、本発明に係る昇降装置のための防災用閉鎖装置の作動方法は、災害発生時に、昇降装置で昇降する複数の階に昇降装置の出入箇所において設置されている防災用閉鎖手段のうちの所定の防災用閉鎖手段のなかから、危険度合いの高い階の順番にしたがい防災用閉鎖手段を順次閉鎖することを特徴とするものである。
【００５２】
なお、危険度合いの高い順番にしたがい閉鎖する前記所定の防災用閉鎖手段は、昇降装置で昇降する複数の階に昇降装置の出入箇所に設置されている全部の防災用閉鎖手段でもよく、これらの防災用閉鎖手段のうち、例えば、火災等の災害が発生した階等に応じて予め決められた防災用閉鎖手段でもよい。
【００５３】
以上の昇降装置のための防災用閉鎖装置の作動方法において、防災用閉鎖手段を作動させることは、プログラムに基づき作動するコンピュータや、リレースイッチ等で組み立てられたシーケンス回路等による制御手段により自動的に行ってもよく、また、操作盤等の操作装置を人為操作することにより行ってもよい。
【００５４】
以上の本発明に係る昇降装置のための防災用閉鎖装置と、昇降装置のための防災用閉鎖装置の作動方法とにおいて、昇降装置はエレベータでもよく、エスカレータ等でもよく、本発明は任意な昇降装置に適用できる。
【００５５】
しかし、本発明に係る昇降装置のための防災用閉鎖装置と、昇降装置のための防災用閉鎖装置の作動方法とをエレベータに適用した場合には、エレベータの昇降動する同じ昇降箱が複数の階を停止、通過するため、これらの階に設置され、この停止、通過に伴って閉鎖、開放の制御がなされるそれぞれの防災用閉鎖手段の制御を有効に行えるという利点を得られる。
【００５６】
また、本発明に係る昇降装置のための防災用閉鎖装置と、昇降装置のための防災用閉鎖装置の作動方法とをエレベータに適用した場合には、狭い空間となっている昇降箱の内部に閉じ込められた状態の人を、昇降箱を適切な階に停止させるとともに、防災用閉鎖手段を適切に制御することにより、昇降箱からより確実に脱出させることができ、エレベータに特に求められる要請に有効に応えることができる。
【００５７】
なお、昇降装置がエレベータである場合には、昇降装置を指定した階等の所定の階で停止させるとは、エレベータの昇降箱をその階で停止させることである。また、昇降装置がエスカレータである場合において、昇降装置を指定した階等の所定の階で停止させるとは、上下二階分の間に跨設されている単位エスカレータの連続で形成されている単位エスカレータ群のうち、下り用エスカレータについては、その階から下へ降りるための単位エスカレータの運転を停止させることであり、登り用エスカレータについては、その階から上へ登るための単位エスカレータの運転を停止させることである。
【００５８】
また、複数の階に設置される防災用閉鎖手段は、シャッターカーテンを有するシャッター装置でもよく、開き戸を有する開き戸装置でもよく、引き戸を有する引き戸装置でもよく、ウォータカーテン装置でもよく、エアカーテン装置でもよく、任意な構造、形式等の防災用閉鎖手段でよい。
【００５９】
また、防火用閉鎖手段がシャッター装置である場合には、そのシャッターカーテンは、シートによるものでもよく、スラットによるものでもよく、複数の材料を複合したものでもよい。
【００６０】
また、複数の階に設置される防災用閉鎖手段は、上記のうちの一種類だけで形成してもよく、これらのうちの複数の組み合わせからなる複合式防災用閉鎖手段としてもよい。
【００６１】
さらに、同じ階にエレベータ等の昇降装置が複数台並設されている場合に、その階に設置される防災用閉鎖手段は、これらの昇降装置ごとに個別となったものでもよく、これらの昇降装置に共通となったものでもよい。
【００６２】
また、防災用閉鎖手段がエレベータであって、このエレベータが複数並設されされているとともに、それぞれのエレベータの昇降箱が同じ縦穴に上下動自在に配設されている場合には、これらの昇降箱で昇降する階に、それぞれが１個のエレベータ用として又は複数個のエレベータ用として複数個設置される防災用閉鎖手段について、異なる開放、閉鎖の制御態様で制御してもよいが、同じ開放、閉鎖の制御態様で制御することが好ましい。これにより、同じ階に複数の防災用閉鎖手段が設置されていても、それぞれのエレベータによるその階についての避難行動を同じにできる。
【００６３】
また、複数の階において防災用閉鎖手段を設置する昇降装置の出入箇所は、昇降装置に極めて近い箇所でもよく、あるいは昇降装置との間に、例えば、一人又は複数人の避難者が入るスペースのある箇所でもよい。
【００６４】
また、本発明に係る昇降装置のための防災用閉鎖装置と、昇降装置のための防災用閉鎖装置の作動方法とが適用される昇降装置は、建物に設置されるものでもよく、地下街等の構築物に設置されるものでもよい。
【００６５】
さらに、本発明に係る昇降装置のための防災用閉鎖装置と、昇降装置のための防災用閉鎖装置の作動方法とを適用することができる最も一般的な災害は、火災である。しかし、これに限らず、本発明に係る昇降装置のための防災用閉鎖装置と、昇降装置のための防災用閉鎖装置の作動方法は、例えば、有毒ガスの発生に対する対策や、有害細菌の散布に対する対策、火災の発生が予想される大きな地震が発生したときの対策、水害に対する対策等としても有効であり、任意な災害のために適用できる。
【００６６】
本発明に係る昇降装置のための防災用閉鎖装置と、昇降装置のための防災用閉鎖装置の作動方法とが適用される災害が火災である場合には、防災用閉鎖手段は昇降装置で昇降する全部の階に設置することが好ましい。しかし、本発明に係る昇降装置のための防災用閉鎖装置と、昇降装置のための防災用閉鎖装置の作動方法とが適用される災害が水害である場合には、防災用閉鎖手段は、昇降装置で昇降する全部の階のうちの複数の低階だけに設置すればよく、このように防災用閉鎖手段を設置する階は、本発明に係る昇降装置のための防災用閉鎖装置と、昇降装置のための防災用閉鎖装置の作動方法とが適用される災害の種類、性質等に応じて任意に設定することができる。
【００６７】
また、防災用閉鎖手段は、災害の内容や防災の性格、目的等に応じた適切な機能、性能を有すればよく、例えば、有害細菌のみの対策用であれば、気密性があれば充分で防火性は必ずしも必要ではなく、また、火災対策用であれば、防火性と防煙性の両方の機能を有していてもよいが、これらのいずれか一方、例えば、昇降装置がエレベータであって、このエレベータが防火性を有していれば、防煙性のみを有するものでもよい。
【００６８】
また、以上の本発明に係る昇降装置のための防災用閉鎖装置及びその作動方法において、「災害発生時」とは、実際の災害が発生したときでもよく、あるいは、この昇降装置のための防災用閉鎖装置を備えた建物や地下街等の構造物が完成したときに行う試験運転における仮想上の災害の発生時でもよく、避難訓練を行うときにおける仮想上の災害の発生時でもよく、さらには、修理作業後や点検作業後に行う機能確認のための仮想上の災害の発生時でもよい。
【発明の効果】
【００６９】
本発明によると、火災等の災害発生時に有効に避難できるようになるという効果を得られる。
【発明を実施するための最良の形態】
【００７０】
以下に本発明の実施形態を図面に基づいて説明する。初めに、昇降装置で昇降する階における昇降装置の出入箇所に設置される防災用閉鎖手段について説明する。
【００７１】
なお、防災用閉鎖手段は、同じ昇降装置で昇降する全部の階に設けてもよいが、これらの階のうち、防災用閉鎖手段の設置が必要とされる特定の複数の階だけに設けてもよい。以下の実施形態は、同じ昇降装置で昇降する全部の階に防災用閉鎖手段が設けられている場合である。
【００７２】
また、以下の説明は、昇降装置がエレベータであって、防災用閉鎖手段が防災用シャッター装置となっている場合である。
【００７３】
図１は、そのエレベータ１の正面図であり、図２は、図１のＳ２−Ｓ２線断面図である。建物内のそれぞれ階へ昇降するために利用されるエレベータ１は、図２に示すように、それぞれの階を上下に連通して形成された縦穴としてのエレベータシャフト２に昇降箱３を上下動自在に配設することによって形成され、この昇降箱３は扉４を有する。また、図１に示すように、それぞれの階のコンクリート壁には、エレベータシャフト２に達するエレベータ用出入口としての開口部５が設けられ、この開口部５の奥には、図２で示されているように、エレベータ扉６が配置されている。上部のガイドレール７と下部のガイド溝８に案内されて開閉自在となっているこのエレベータ扉６は、昇降箱３がそのエレベータ扉６の設置されている階に停止したときに、昇降箱３の扉４と図示しない装置で機械的に連結され、この扉４を開閉させるために昇降箱３に設置されている開閉装置で扉４が開閉するときに、エレベータ扉６も同時に開閉するようになっている。
【００７４】
なお、エレベータ扉６は、上記開閉装置とは別の装置によって昇降箱３の扉４と同時に開閉されるものになっていてもよい。
【００７５】
そして、図２で示すように、開口部５の幅内であってエレベータ扉６よりも手前側には、エレベータ１のための防災用閉鎖手段である防災用シャッター装置１０が設置されている。この防災用シャッター装置１０は、開口部５より上の空間に一対のブラケット１１で水平に架設された巻取軸１２と、スプロケットとチェーン等による駆動力伝達手段１３を介して巻取軸１２を正逆回転させる開閉機１４と、上端が巻取軸１２に結合され、下端が座板１５Ａとなったシャッターカーテン１５とを含んで形成され、開閉機１４からの駆動力で巻取軸１２が正逆回転することにより、左右両端部が開口部５の左右の側壁部５Ａに設けられたガイドレール１６に抜け止めされて摺動自在に挿入されているシャッターカーテン１５が上下動し、このシャッターカーテン１５が下降して座板１５Ａが着床することにより、その階でのエレベータ用出入り箇所がその階に設置された防災用シャッター装置１０によって閉鎖され、また、シャッターカーテン１５が上昇して座板１５Ａが開口部５の上面のまぐさ５Ｂに達することにより、その階でのエレベータ用出入り箇所がその階の設置された防災用シャッター装置１０によって開放される。
【００７６】
なお、この防災用シャッター装置１０は火災対策用のものであるため、シャッターカーテン１５は防火性と防煙性とを有するシートで形成されているとともに、シャッターカーテン１５の左右両端部が挿入されているガイドレール１６及びシャッターカーテン１５が上下に挿通するまぐさ５Ｂには、遮煙部材が組み込まれている。また、座板１５Ａの下面には、座板１５Ａが着床したときに遮煙性を確保するための遮煙部材が設けられている。
【００７７】
図３は、以上の防災用シャッター装置１０が設置された建物の概念的縦断面図であり、この図３で示されているとおり、エレベータの昇降箱３が昇降するそれぞれ階には、エレベータ扉６と防災用シャッター装置１０とが設置されている。
【００７８】
図４は、それぞれの防災用シャッター装置１０の作動を制御するための制御系を示すブロック図である。本実施形態における制御手段となっていて、記憶部を有し、この記憶部に記憶された情報とプログラムに基づき作動するコンピュータとなっている集中制御装置２０には、それぞれの階に配置されている火災検知センサ２１とエレベータ操作装置２２とからの信号が入力する。エレベータ操作装置２２は、エレベータ１の昇降箱３の内部に配置されていて、昇降箱３に乗った人が降りる階を指定するなどエレベータ１を利用する人が操作するための装置である。また、集中制御装置２０は、エレベータ１の昇降箱３を昇降させるための巻き上げ機等によるエレベータ駆動装置２３を駆動制御する信号と、昇降箱３の扉４を開閉させるための昇降箱扉開閉装置２４を制御する信号と、それぞれの階に設置されている防災用シャッター装置１０を駆動制御するための信号とを出力する。集中制御装置２０から防災用シャッター装置１０に出力される制御信号は、前記開閉機１４の正駆動、逆駆動、停止を指示するものであり、これにより、それぞれの防災用シャッター装置１０は、シャッターカーテン１５が巻取軸１２から所定位置まで繰り出される閉鎖、及びシャッターカーテン１５が巻取軸１２に所定位置まで巻き取られる開放を行う。
【００７９】
また、集中制御装置２０には、昇降箱３に設置され、この昇降箱３の内部に人間がいるか否かを確認するための昇降箱内人間確認装置２５が接続され、昇降箱３の内部に人間がいない場合に、その確認信号が集中制御装置２０に入力するようになっている。
【００８０】
また、集中制御装置２０は時間をカウントするカウント部２０Ａを有し、また、集中制御装置２０へはエレベータ駆動装置２３からのフィードバック信号が入力するようになっている。このため、このフィードバック信号により集中制御装置２０は、昇降箱現在位置把握部２０Ｂにおいて昇降箱３の現在の位置を常に把握するとともに、昇降箱３が通過した階や停止している階等についての情報も得るようになっている。
【００８１】
なお、それぞれの階やエレベータシャフト２に昇降箱３の位置を常に検出するための検出手段を設け、この検出手段からのフィードバック信号により、集中制御装置２が、昇降箱現在位置把握部２０Ｂにおいて昇降箱３の現在の位置を常に把握するとともに、昇降箱３が通過した階や停止している階等についての情報も得るようにしてもよい。以下の説明では、エレベータ駆動装置２３からのフィードバック信号が集中制御装置２０に入力するとする。
【００８２】
この実施形態では、集中制御装置２０によりそれぞれの防災用シャッター装置１０の制御がなされ、したがって、これらの防災用シャッター装置１０は集中制御装置２０で総合制御されるものになっている。
【００８３】
また、集中制御装置２０によってエレベータ駆動装置２３も制御され、集中制御装置２０には、エレベータ駆動装置２３からのフィードバック信号によってエレベータ１の昇降箱３が到達している階等についてのデータが常にあるため、集中制御装置２０は、それぞれ階の防災用シャッター装置１０をエレベータ１の昇降箱３の昇降位置等と連繋させて制御できるものとなっている。
【００８４】
また、この実施形態では、前述したとおり、昇降箱３の扉４が昇降箱扉開閉装置２４で開閉されると、昇降箱３が停止した階のエレベータ扉６はこの扉４と機械的に連結されるため、エレベータ扉６は扉４と同時に開閉されることになっている。
【００８５】
しかし、エレベータ扉６が開閉装置２４とは別の装置によって開閉されるものになっている場合には、このエレベータ扉６を開閉するための装置も集中制御装置２０からの信号で制御し、これにより、エレベータ扉６を昇降箱３の扉４と同時に開閉するようにしてもよい。
【００８６】
以下の説明では、昇降箱３の扉４が昇降箱扉開閉装置２４で開閉されると、前述したように、昇降箱３が停止した階のエレベータ扉６がこの扉４と機械的に連結され、エレベータ扉６と扉４が同時に開閉されることになっているとする。
【００８７】
図５は、図４の制御系で実施される防災用シャッター装置１０の１番目の制御内容を示すフローチャートであり、図６は、この制御内容における防災用シャッター装置１０の作動順序を（Ａ）（Ｂ）（Ｃ）で示した図である。
【００８８】
図５において、建物内のいずれかの階で火災が発生し、これが火災検知センサ２１で検知されると（ステップ１）、このセンサ２１からの信号が集中制御装置２０に入力することにより、集中制御装置２０は、全部の階における防災用シャッター装置１０の閉鎖を開始させ（ステップ２）、これにより、エレベータシャフト２で連通状態にあったそれぞれの階を、図６の（Ａ）で示されているように、防災用シャッター装置１０で仕切られた防火区画にするとともに（ステップ３）、集中制御装置２０は建物内に配置されている図示しない警報装置を作動させ、これにより、建物内のそれぞれの階にいた人達は非常階段を利用して建物から避難する。
【００８９】
一方、エレベータ１の昇降箱３に乗りこの昇降箱３に配置されている警報装置で火災の発生を知った人は、昇降箱３に設けられているエレベータ操作装置２２を操作し、これにより、昇降箱３を停止させて昇降箱３より脱出する階を指定する。そして、エレベータ操作装置２２からの信号が入力した集中制御装置２０からエレベータ駆動装置２３に出力される信号により、昇降箱３が指定階に到着して停止すると（ステップ４）、あるいは、警報装置の作動前から操作されていたエレベータ操作装置２２からの信号が入力する集中制御装置２０からエレベータ駆動装置２３に出力される信号により、昇降箱３が警報装置の作動前から指定されていた指定階に到着して停止すると、エレベータ駆動装置２３からのフィードバック信号を受ける集中制御装置２０からの信号によって昇降箱３の扉４は、図６の（Ｂ）で示されているように、開閉装置２４で開くとともにエレベータ扉６も開き（ステップ５）、また、これと同時又はこれよりも少し前に、その指定階の防災用シャッター装置１０は集中制御装置２０からの信号で開放される（ステップ６）。
【００９０】
これにより、昇降箱３内にいる人は昇降箱３より脱出し（ステップ７）、そして、集中制御装置２０に設けられている図４のカウント部２０Ａでカウントされる時間が、エレベータ駆動装置２３からのフィードバック信号を集中制御装置２０が受けて昇降箱３の扉４とエレベータ扉６が開き始めたとき又は集中制御装置２０からの信号で指定階の防災用シャッター装置１０が開放され始めたときから予め決められていた一定の時間になると、及び／又は、図４の昇降箱内人間確認装置２５から昇降箱３の内部に人がいない信号が集中制御装置２０に入力すると、図６の（Ｃ）で示すように、集中制御装置２０からの信号が入力する昇降箱３の扉４の開閉装置２４によって昇降箱３の扉４とエレベータ扉６が閉じるとともに（ステップ８）、集中制御装置２０からの信号で指定階の防災用シャッター装置１０は閉鎖する（ステップ９）。
【００９１】
このため、集中制御装置２０は、火災発生時に、エレベータ１で昇降するそれぞれの階にエレベータ１の出入箇所において設置されている防災用シャッター装置１０を閉鎖する防災用閉鎖手段閉鎖制御手段になっているとともに、このエレベータ駆動装置２３からのフィードバック信号を受け、昇降箱現在位置把握部２０Ｂを有している集中制御装置２０は、エレベータ操作装置２２で指定されて昇降箱３が停止した階を把握する昇降装置停止把握手段ともなっており、また、集中制御装置２０は、昇降箱３が停止した階に設置されている防災用シャッター装置１０を開放する防災用閉鎖手段開放制御手段ともなっている。、
以上説明した実施形態によると、それぞれの階に設置されている防災用シャッター装置１０は、火災発生時に集中制御装置２０で総合制御されるため、火災発生時において、それぞれの階の防災用シャッター装置１０を避難者が有効に避難できる状態に制御できることになる。
【００９２】
また、それぞれの防災用シャッター装置１０とエレベータ駆動装置２３は集中制御装置２０で制御され、防災用シャッター装置１０を集中制御装置２０によってエレベータ１の昇降箱３の昇降位置と連繋させて作動させることができるため、エレベータ１を利用した避難行動と防災用シャッター装置１０の作動とを関係づけることができ、これにより、一層有効に避難できる状態を創出できることになる。
【００９３】
また、この実施形態では、昇降箱３が指定階に到着して昇降箱３の扉４とエレベータ扉６が開くと、これと同時又はこれよりも少し前に指定階の防災用シャッター装置１０は開放されるため、昇降箱３より脱出する人の前には防災用シャッター装置１０の閉鎖されたシャッターカーテン１５はなく、このため、昇降箱３から脱出する人は心理的に落ち着いた状態で脱出でき、より確実に避難できる。
【００９４】
さらに、昇降箱３から人が脱出した後は、指定階の防災用シャッター装置１０は閉鎖され、これにより全部の防災用シャッター装置１０は閉鎖されることになるため、昇降箱１から避難者が指定階へ脱出、避難するときだけその脱出、避難を行う階の防災用シャッター装置１０を開放しながらも、この後は、閉鎖された全部の防災用シャッター装置１０によって充分な災害防止機能を発揮させることができる。
【００９５】
なお、集中制御装置２０のカウント部２０Ａでカウントされる時間が、エレベータ駆動装置２３よりのフィードバック信号を集中制御装置２０が受けて昇降箱３の扉４とエレベータ扉６が開き始めたとき又は集中制御装置２０よりの信号で指定階の防災用シャッター装置１０が開放され始めたときから予め決められていた一定の時間を経過することを第１番目の条件とし、昇降箱内人間確認装置２５から昇降箱３の内部に人がいないとの情報内容の信号が集中制御装置２０に入力することを第２番目の条件とした場合において、第１番目と第２番目の両方の条件が満たされたときに昇降箱扉開閉装置２４によって昇降箱３の扉４とエレベータ扉６が閉じるようにしておくと、昇降箱３の内部に人がいるにもかかわらず、例えば、人がうずくまるなどし、このため、昇降箱内人間確認装置２５がその人を検出できず、昇降箱内人間確認装置２５から昇降箱３内にいないとの情報内容の信号が集中制御装置２０に送信されても、その人に昇降箱３から脱出する時間を確保させることができる。
【００９６】
また、昇降箱３が指定階に到着した後に集中制御装置２０がその指定階の防災用シャッター装置１０を開放するとは、全開放でもよく、半開放等でもよく、避難者が昇降箱３から指定階へ脱出できる状態に開放することでは、任意な開放状態でよい。また、指定階の防災用シャッター装置１０が開放され始めるときは、その防災用シャッター装置１０が全閉となった後でもよく、閉鎖途中となっているときでもよく、閉鎖を開始していないときでもよい。
【００９７】
図７は、防災用シャッター装置１０の２番目の制御内容を示すフローチャートであり、図８は、この制御内容における防災用シャッター装置１０の作動順序を（Ａ）（Ｂ）（Ｃ）で示した図である。
【００９８】
図７において、建物内のいずれかの階で火災が発生し、これが火災検知センサ２１で検知されると（ステップ１）、このセンサ２１からの信号が集中制御装置２０に入力することにより、集中制御装置２０は、記憶部に記憶されていた避難階についての情報と予め決められていたプログラムにしたがい、避難階を決めるとともに、この避難階の防災用シャッター装置１０を除く残りの防災用シャッター装置１０を閉鎖させ（ステップ２）、これにより、図８の（Ａ）で示されているように、エレベータシャフト２で連通状態にあったそれぞれの階を、避難階を除き、防災用シャッター装置１０で仕切られた防火区画にするとともに（ステップ３）、集中制御装置２０は建物内に配置されている図示しない警報装置を作動させ、これにより、建物内のそれぞれの階にいた人達は非常階段を利用して建物から避難する。
【００９９】
一方、エレベータ１の昇降箱３に乗りこの昇降箱３に配置されている警報装置で火災の発生を知った人は、昇降箱３に設けられているエレベータ操作装置２２を操作するが、この実施形態では、この操作に拘わらず、また、警報装置の作動前に行われたエレベータ操作装置２２の操作に拘わらず、集中制御装置２０は、予め決められていたプログラムを優先してこのプログラムに基づきエレベータ駆動装置２３の駆動を制御することにより、昇降箱３を上記避難階へ到着させて停止させる（ステップ４）。
【０１００】
この後、エレベータ駆動装置２３からのフィードバック信号が入力する集中制御装置２０は、昇降箱扉開閉装置２４に制御信号を出力することにより、図８の（Ｂ）で示すように、昇降箱３の扉４とエレベータ扉６を開かせ（ステップ５）、そして、昇降箱３に乗っている人は昇降箱３より脱出する（ステップ６）。次いで、集中制御装置２０に設けられている図４のカウント部２０Ａでカウントされる時間が、エレベータ駆動装置２３からのフィードバック信号を集中制御装置２０が受けて昇降箱３の扉４とエレベータ扉６が開き始めたときから予め決められていた一定の時間になると、及び／又は、図４の昇降箱内人間確認装置２５から昇降箱３の内部に人がいない信号が集中制御装置２０に入力すると、図８の（Ｃ）で示すように、集中制御装置２０からの信号が入力する昇降箱扉開閉装置２４によって昇降箱３の扉４とエレベータ扉６が閉じるとともに、集中制御装置２０からの信号で避難階の防災用シャッター装置１０は閉鎖する（ステップ７）。
【０１０１】
このため、火災が発生したときの避難階についての情報が記憶された記憶部を有する集中制御装置２０は、火災発生時に避難階を把握する避難階把握手段となっているとともに、プログラムにしたがって作動して避難階を除くそれぞれの防災用シャッター装置１０を閉鎖する集中制御装置２０は、それぞれ階に設置されている防災用シャッター装置１０のうち、避難階を除くそれぞれ防災用シャッター装置１０を閉鎖する防災用閉鎖手段閉鎖制御手段ともなっており、また、このエレベータ駆動装置２３からのフィードバック信号が入力する集中制御装置２０と、この集中制御装置２０からの信号で昇降箱３を指定階に停止させるエレベータ駆動装置２０とは、昇降箱３を避難階に停止させる昇降装置避難階停止制御手段と、昇降箱３が前記避難階に停止したことを把握する昇降装置避難階停止把握手段ともなっている。また、カウント部２０Ａを有し、昇降箱内人間確認装置２５からの信号を受ける集中制御装置２０は、昇降箱３より避難者が脱出したか否かを判定する避難者脱出判定手段となっており、さらに、昇降箱３から避難者が脱出したのちに避難階に設置されている防災用シャッター装置１０を閉鎖する避難階防災用閉鎖手段閉鎖制御手段ともなっている。
【０１０２】
この実施形態によると、それぞれの防災用シャッター装置１０は集中制御装置２０で制御されるとともに、それぞれの防災用シャッター装置１０とエレベータ駆動装置２３は、火災検知センサ２１からの信号が入力する集中制御装置２０で連繋して制御できるものとなっているため、火災が発生した場合には、火災からの避難が容易等の理由によって予め決められている避難階の防災用シャッター装置１０を除く残りの防災用シャッター装置１０を閉鎖できるとともに、エレベータ操作装置２４の操作とは無関係に、昇降箱３をこの避難階に到着させて停止させることができ、これにより、昇降箱３に乗っている人を有効に脱出、避難させることができる。
【０１０３】
また、この実施形態でも、昇降箱３が避難階に到着して昇降箱３の扉４とエレベータ扉６が開くと、この避難階の防災用シャッター装置１０は開放された状態になっているため、昇降箱３より脱出する人の前には防災用シャッター装置１０の閉鎖されたシャッターカーテン１５はなく、このため、昇降箱３から脱出する人は心理的に落ち着いた状態で脱出できる。また、昇降箱３から人が脱出した後は、避難階の防災用シャッター装置１０は閉鎖され、これにより全部の防災用シャッター装置１０は閉鎖されることになるため、昇降箱１から避難者が避難階へ脱出、避難するときに、その脱出、避難を行う階の防災用シャッター装置１０を開放させておいても、この後は、閉鎖された全部の防災用シャッター装置１０によって充分な災害防止機能を発揮させることができる。
【０１０４】
また、この実施形態によると、火災発生時において全部の防災用シャッター装置１０が行う作動は閉鎖だけであるため、これらの防災用シャッター装置１０に付与しなければならない自動作動機能は自動閉鎖だけでよく、この自動閉鎖は、例えば、集中制御装置２０からの信号によって図２に示した前記開閉機１４に設けられたブレーキを解除することにより、前記座板１５Ａやシャッターカーテン１５の自重を利用してシャッターカーテン１５を下降させるものとすることができ、シャッターカーテン１５を巻取軸１２に巻き取る防災用シャッター装置１０の開放は、例えば、開閉機１４を手動ハンドルによる構造とすることができるため、防災用シャッター装置１０の構造を簡単化することができる。
【０１０５】
なお、集中制御装置２０は、例えば、火災が複数の階で発生したときに、これらの火災発生階についての情報に基づき昇降箱３を停止させる避難階を論理的に演算する機能を有するものでもよい。
【０１０６】
図９は、防災用シャッター装置１０の３番目の制御内容を示すフローチャートである。
【０１０７】
図９において、建物内のいずれかの階で火災が発生し、これが火災検知センサ２１で検知されると（ステップ１）、このセンサ２１からの信号が集中制御装置２０に入力することにより、その火災発生階ごとについての火災による危険度合いの高い階の順番の情報が記録されている記憶部を備える集中制御装置２０は、プログラムにしたがい、先ず、火災が発生した階における防災用シャッター装置１０を閉鎖させ（ステップ２）、次いで、最上階における防災用シャッター装置１０を閉鎖させ（ステップ３）、この後、火災が発生した階の下の階における防災用シャッター装置１０を閉鎖させる（ステップ４）。すなわち、それぞれの階における防災用シャッター装置１０のなかから、火災による危険度合いの高い階の順番にしたがい、これらの階における防災用シャッター装置１０を順次閉鎖することが行われる。
【０１０８】
この後は、前記記憶部に記憶された情報とプログラムに基づき、予め決められている避難階の防災用シャッター装置１０を除く残りのそれぞれの防災用シャッター装置１０を、火災による危険度合いの高い階の順番にしたがい、又は、例えば上階から下階へというように、火災による危険度合いとは無関係の一定の関係で予め決められている順序にしたがい順次又は同時に閉鎖し（ステップ５）、最後に上記避難階の防災用シャッター装置１０を閉鎖する（ステップ６）。
【０１０９】
また、この実施形態において、火災検知センサ２１が火災を検知すると、集中制御装置２０は警報装置を作動させ、これにより、それぞれの階にいる人達の大部分は非常階段を利用して避難するが、エレベータ１の近いにいた人は、その階で停止して扉４とエレベータ扉６が開いていた昇降箱３があると、その昇降箱３に乗って避難しようとする。
【０１１０】
このように昇降箱３に人が乗ると、また、火災が発生したときに人が乗らなくても、この昇降箱３の扉４とエレベータ扉６は、集中制御装置２０の予め定められていたプログラムに基づき、集中制御装置２０からの信号が入力する昇降箱扉開閉装置２４の駆動によって閉じ、また、集中制御装置２０からの信号で制御されるエレベータ駆動装置２３により、昇降箱３は上記避難階に到着して停止する。そして、昇降箱３の扉４とエレベータ扉６は、集中制御装置２０からの信号が入力する上記装置２４によって開き、このときには、上記避難階の防災用シャッター装置１０はまだ閉鎖しておらず、これにより、昇降箱３に乗っている人は昇降箱３より脱出して避難する。
【０１１１】
このため、火災発生階ごとについての火災による危険度合いの高い階の順番の情報が記録されている記憶部を備えた集中制御装置２０は、火災発生時にそれぞれの階について危険度合いの高い順番を把握する危険度合い把握手段となっており、また、それぞれの階うちの複数の階の防災用シャッター装置１０を危険度合いの高い順番にしたがって順次閉鎖する危険度合い順防災用閉鎖手段閉鎖制御手段ともなっている。
【０１１２】
この実施形態によると、防災用シャッター装置１０の閉鎖は、火災発生による危険度合いの高い階の順番に従って行われるため、それぞれの階にいる人達に、開放されている防災用シャッター装置１０を通過させてエレベータ１の昇降箱３に乗らせることにより与えることができる避難の機会を、危険度合いの低い階の順番にしたがって多くでき、避難のための機会と、防災用シャッター装置１０による災害防止機能とを合理的に適合させることができる。
【０１１３】
図１０は、防災用シャッター装置１０の４番目の制御内容を示すフローチャートである。
【０１１４】
建物内のいずれかの階で火災が発生し、これが火災検知センサ２１で検知されると（ステップ１）、このセンサ２１からの信号が集中制御装置２０に入力することにより、集中制御装置２０は、エレベータ操作装置２２で指定された又は予め指定されていた階へ昇降箱３を移動させるとともに、昇降箱３が停止せずに通過した階における防災用シャッター装置１０が、エレベータ駆動装置２３からのフィードバック信号が入力する集中制御装置２０からの信号で閉鎖し（ステップ２）、エレベータ操作装置２２で指定されず又は予め指定されていない階となっていて、所定の事象、具体的には火災が発生した階が生ずるすると、この階の火災検知センサ２１からの信号を受ける集中制御装置２０は、この所定の事象が発生した階の防災用シャッター装置１０も閉鎖する（ステップ３）。
【０１１５】
昇降箱３が指定階に到着すると、エレベータ駆動装置２３からのフィードバック信号が入力する集中制御装置２０からの信号により昇降箱３はその指定階に停止する（ステップ４）。そして、集中制御装置２０からの信号を受ける昇降箱扉開閉装置２４によって昇降箱３の扉４とエレベータ扉６は開く（ステップ５）。これにより、昇降箱３内にいる人は昇降箱３より脱出し（ステップ６）、そして、集中制御装置２０のカウント部２０Ａでカウントされる時間が、エレベータ駆動装置２３からのフィードバック信号を集中制御装置２０が受けて昇降箱３の扉４とエレベータ扉６が開き始めたときから予め決められていた一定の時間になると、及び／又は、昇降箱内人間確認装置２５から昇降箱３の内部に人がいない信号が集中制御装置２０に入力すると、集中制御装置２０からの信号が入力する昇降箱扉開閉装置２４によって昇降箱３の扉４とエレベータ扉６が閉じるとともに（ステップ７）、集中制御装置２０からの信号で指定階の防災用シャッター装置１０は閉鎖する（ステップ８）。
【０１１６】
このため、エレベータ駆動装置２３からのフィードバック信号が入力する集中制御装置２０は、火災発生時に昇降箱３が通過した階を把握する通過階把握手段となっており、また、昇降箱３が通過した階の防災用シャッター装置１０を閉鎖する防災用閉鎖手段閉鎖制御手段ともなっている。さらに、集中制御装置２０は、所定の事象が発生した階の防災用シャッター装置１０を閉鎖させる防災用閉鎖手段閉鎖制御手段ともなっている。
【０１１７】
この実施形態によると、昇降箱３が停止せずに通過し、したがって昇降箱３に乗っている人が降りず避難しないことが明らかになった階の防災用シャッター装置１０を閉鎖できるという効果を得られる。
【０１１８】
図１１は、防災用シャッター装置１０の５番目の制御内容を示すフローチャートである。
【０１１９】
この制御内容が適用される制御系は、それぞれの階に設置された防災用シャッター装置１０が備えている防災機能が同じではなく、主たる防災機能が防煙性となっている防災用シャッター装置と、主たる防災機能が防火性となっている防災用シャッター装置とがあり、それぞれの防災用シャッター装置１０には、その防災用シャッター装置１０が有する防災機能を記憶している記憶部を備えた制御部が設けられ、それぞれの防災用シャッター装置１０からその防災機能についての情報が集中制御装置２０へ送信できるようになっており、また、それぞれの階に設置されている火災検知センサ２1は煙と炎の両方を検知でき、このため、これらのセンサ２１から集中制御装置２０へ送信される情報は、発生した火災が煙を主体としたものか炎を主体したものかの区別がなされて送信されるようになっている場合に適用される。
【０１２０】
図１１において、建物内のいずれかの階で火災が発生し、これが火災検知センサ２１で検知されると（ステップ１）、このセンサ２１からの信号が集中制御装置２０に入力することにより、集中制御装置２０はそれぞれの防災用シャッター装置１０へ、これらの防災用シャッター装置１０の制御部の記憶部に記憶されている防災機能についての情報を集中制御装置２０へ送信すべきとの指令信号を送り、それぞれの防災用シャッター装置１０からは防災機能についての情報が集中制御装置２０に送信される。火災を検知したセンサ２１からの信号により集中制御装置２０では、その火災が煙を主体としたものか炎を主体としたものかが判別されるとともに、その火災内容に基づき集中制御装置２０は、昇降箱３内の避難者を脱出させるべき特定の防災用シャッター装置１０を抽出し、具体的には、例えば、火災が煙を主体とするものである場合には、主たる防災機能が防火性となっている防災用シャッター装置１０を抽出する。
【０１２１】
そして、集中制御装置２０は、この抽出された防災用シャッター装置１０を除く全部の防災用シャッター装置１０を閉鎖し（ステップ２）、また、集中制御装置２０は、エレベータ駆動装置２３を駆動させることにより、抽出された防災用シャッター装置１０が設置されている階へ昇降箱３を到着、停止させる（ステップ３）。
【０１２２】
そして、エレベータ駆動装置２３からのフィードバック信号を受けた集中制御装置２０からの信号により昇降箱扉開閉装置２４は、昇降箱３の扉４とエレベータ扉６は開け（ステップ４）、これにより、昇降箱３内にいる人は昇降箱３より脱出し（ステップ５）、そして、集中制御装置２０のカウント部２０Ａでカウントされる時間が、エレベータ駆動装置２３からのフィードバック信号を集中制御装置２０が受けて昇降箱３の扉４とエレベータ扉６が開き始めたときから予め決められていた一定の時間になると、及び／又は、昇降箱内人間確認装置２５から昇降箱３の内部に人がいない信号が集中制御装置２０に入力すると、集中制御装置２０からの信号が入力する昇降箱扉開閉装置２４によって昇降箱３の扉４とエレベータ扉６が閉じるとともに（ステップ６）、抽出された防災用シャッター装置１０は集中制御装置２０からの信号で閉鎖する（ステップ７）。
【０１２３】
このため、それぞれの階に設置されている防災用シャッター装置１０から防災機能についての情報を受ける集中制御装置２０は、災害発生時に、これらの防災用シャッター装置１０のうちから一つを抽出する防災用閉鎖手段抽出手段となっているとともに、抽出された防災用閉鎖手段を除く所定の前記防災用閉鎖手段を閉鎖する防災用閉鎖手段閉鎖制御手段ともなっており、また、エレベータ駆動装置２３と、このエレベータ駆動装置２３からのフィードバック信号を受ける集中制御装置２０は、昇降箱３を、抽出された防災用シャッター装置１０が設置されている階に停止させる昇降装置停止制御手段となっている。
【０１２４】
この実施形態によると、火災の内容に応じて昇降箱３内の避難者を脱出させるべき防災用シャッター装置１０を、それぞれに防災用シャッター装置１０が有する防災機能に応じて選択できるという効果を得られる。
【０１２５】
図１２は、図１及び図２で示した防災用シャッター装置１０とはシャッターカーテンの部分が異なる防災用シャッター装置４０を示す。
【０１２６】
この防災用シャッター装置４０のシャッターカーテン４５は、脱出口４６Ａが形成されているカーテン本体４６と、このカーテン本体４６に上辺部が結合され、めくり上げ自在となっていて通常時は脱出口４６Ａを塞いでいる遮蔽シート４７とを有する。遮蔽シート４７をめくり上げることにより、シャッターカーテン４５全体が下降して閉鎖した状態となっていても、昇降箱３内の避難者は昇降箱３から脱出できるようになっている。
【０１２７】
このような防災用シャッター装置４０は、エレベータで昇降するそれぞれの階のうちの一つの階に設置されている。
【０１２８】
図１３は、それぞれの階に設置されている防災用シャッター装置のなかにこの防災用シャッター装置４０が含まれている場合についての６番目の制御内容を示すフローチャートである。
【０１２９】
建物内のいずれかの階で火災が発生し、これが火災検知センサ２１で検知されると（ステップ１）、このセンサ２１からの信号が集中制御装置２０に入力することにより、集中制御装置２０は、全部の階における防災用シャッター装置１０，４０を閉鎖し（ステップ２）、また、集中制御装置２０は、エレベータ駆動装置２３からのフィードバック信号を受けつつこのエレベータ駆動２３を駆動制御することにより、集中制御装置２０の記憶部に記憶されている脱出口４６Ａ付きの防災用シャッター装置４０が設置された階についての情報により、この防災用シャッター装置４０が設置された階へ昇降箱３を到着させ、停止させる（ステップ３）。
【０１３０】
昇降箱３がその階に停止すると、エレベータ駆動装置２３からのフィードバック信号を受ける集中制御装置２０からの信号により昇降箱扉開閉装置２４は昇降箱３の扉４とエレベータ扉６を開かせ（ステップ４）、これにより、昇降箱３内にいる避難者は、防災用シャッター装置４０の遮蔽シート４７をめくり上げて脱出口４６Ａより脱出する（ステップ５）。そして、集中制御装置２０に設けられているカウント部２０Ａでカウントされる時間が、エレベータ駆動装置２３からのフィードバック信号を集中制御装置２０が受けて昇降箱３の扉４とエレベータ扉６が開き始めたときから予め決められていた一定の時間になると、及び／又は、昇降箱内人間確認装置２５から昇降箱３の内部に人がいない信号が集中制御装置２０に入力すると、集中制御装置２０からの信号が入力する開閉装置２４によって昇降箱３の扉４とエレベータ扉６が閉じる（ステップ６）。
【０１３１】
このため、脱出口付き防災用シャッター装置４０が設置された階についての情報が記憶された記憶部を有する集中制御装置２０は、脱出口４６Ａを有する防災用シャッター装置４０を抽出する防災用閉鎖手段抽出手段となっているとともに、全部の防災用シャッター装置１０，４０を閉鎖する防災用閉鎖手段閉鎖制御手段ともなっており、さらに、エレベータ駆動装置２３と、このエレベータ駆動装置２３からのフィードバック信号を受ける集中制御装置２０は、昇降箱３を抽出された防災用シャッター装置４０が設置されている階に停止させる昇降装置停止制御手段になっている。
【０１３２】
この実施形態によると、火災発生時に、シャッターカーテン４５に脱出口４６Ａが形成され、このため、昇降箱３から避難者が脱出することが容易となっている防災用シャッター装置４０を設置した階に昇降箱３を到着、停止させることができ、また、全部の防災用シャッター装置を、火災発生時に自動閉鎖するだけの機能を有するものとすることができる。
図１４は、防災用シャッター装置１０の７番目の制御内容を示すフローチャートである。この制御内容は、防災用シャッター装置が設置されたそれぞれの階のなかに、脱出することが不適正な防災用シャッター装置１０が設置されているために脱出不適切となった階がある場合における制御内容であり、脱出することが不適正な防災用シャッター装置１０とは、例えば、閉鎖はするが開放はできない防災用シャッター装置や、火災による煙や炎を受けると、シャッターカーテンに含まれている特別の材料が反応して避難者の避難が困難になる防災用シャッター装置等である。
【０１３３】
建物内のいずれかの階で火災が発生し、これが火災検知センサ２１で検知されると（ステップ１）、このセンサ２１からの信号が集中制御装置２０に入力することにより、集中制御装置２０は、全部の階における防災用シャッター装置１０を閉鎖させる（ステップ２）。また、記憶部に、ある階には脱出することが不適正な防災用シャッター装置が設置されていることについての情報が記憶されている集中制御装置２０は、プログラムにしたがい、エレベータ駆動装置２３をこの装置２３からのフィードバック信号を受けながら駆動制御し、これにより、昇降箱３を、脱出することが不適正な防災用シャッター装置が設置されているために脱出が不適切となった階を通過させ（ステップ３）、昇降箱３を脱出するのに適切となった階に到着、停止させる（ステップ４）。そして、エレベータ駆動装置２３からのフィードバック信号を受ける集中制御装置２０からの信号によって昇降箱３の扉４とエレベータ扉６は開閉装置２４で開かれ（ステップ５）、また、昇降箱３が停止し、昇降箱３からの脱出を適正に行える防災用シャッター装置１０が集中制御装置２０からの信号で開放される（ステップ６）。
【０１３４】
これにより、昇降箱３内にいる人は、脱出を適正に行える防災用シャッター装置１０を通って昇降箱３より脱出し（ステップ７）、そして、集中制御装置２０のカウント部２０Ａでカウントされる時間が、エレベータ駆動装置２３からのフィードバック信号を集中制御装置２０が受けて昇降箱３の扉４とエレベータ扉６が開き始めたとき又は集中制御装置２０からの信号により脱出が適正に行える防災用シャッター装置１０が開放され始めたときから予め決められていた一定の時間になると、及び／又は、昇降箱内人間確認装置２５から昇降箱３の内部に人がいない信号が集中制御装置２０に入力すると、集中制御装置２０からの信号が入力する昇降箱扉開閉装置２４によって昇降箱３の扉４とエレベータ扉６が閉じるとともに（ステップ８）、集中制御装置２０からの信号により脱出が適正に行える防災用シャッター装置１０は閉鎖する（ステップ９）。
【０１３５】
このため、集中制御装置２０は、災害発生時に全部の防災用シャッター装置１０を閉鎖する防災用閉鎖手段閉鎖制御手段となっているとともに、記憶部に、ある階には脱出することが不適正な防災用シャッター装置が設置されていることについての情報が記憶されている集中制御装置２０は、脱出することが不適正な防災用シャッター装置１０を抽出する脱出不適正防災用閉鎖手段抽出手段となっており、また、エレベータ駆動装置２３と、この装置２３からのフィードバック信号を受ける集中制御装置２０は、脱出するのに不適切となった階を昇降箱３を通過させる昇降装置通過制御手段と、昇降箱３を脱出するのに適切となった階に停止させる昇降装置停止制御手段とになっており、また、集中制御装置２０は、脱出するのに適正となった防災用シャッター装置を開放し、この後にこの防災用シャッター装置を閉鎖する脱出適性防災用閉鎖手段開放閉制御手段となっている。
【０１３６】
この実施形態によると、脱出することが不適正な防災用シャッター装置１０が設置されている階を昇降箱３に通過させ、脱出することが適正となった防災用シャッター装置１０が設置されている階に昇降箱３を停止させることができるという効果を得られる。
以上説明した７つの制御内容は、本実施形態に係る昇降装置のための防災用閉鎖装置によって実現できる制御内容の一部である。集中制御装置２０の記憶部に、それぞれの階に設置されている防災用シャッター装置１０，４０についての機能、性質、特性等の情報を記憶させておくことにより、エレベータの昇降運転と連繋した各種の制御内容を実現できる。
【０１３７】
集中制御装置２０の記憶部に記憶させておくそれぞれの防災用シャッター装置１０，４０についての機能、性質、特性等の情報とは、前述した制御内容と重複するものもあるが、例えば、シャッターカーテンの材質等に基づくそれぞれの防災用シャッター装置の防災機能や防災特性、その防災用シャッター装置は複数のエレベータに共通となったものか否か、その防災用シャッター装置が設置されている階は予め避難階として指定された階か否か、その防災用シャッター装置には脱出口が設けられているか否か等であり、実施しようとする制御内容に応じて任意な情報を記憶させておくことができる。
【０１３８】
図１５は、図４とは異なる制御系を示すブロック図である。この制御系では、それぞれの階に設置される防災用シャッター装置１０，４０ごとにカウント部を有する制御部５０が設けられ、それぞれの階に設けられている火災検知センサ２１からの信号は、これらの制御部５０に入力するとともに、エレベータ駆動装置２３からのフィードバック信号を受信しかつ昇降箱現在位置把握部６０Ａを有するエレベータ制御装置６０にも入力するようになっている。また、それぞれの制御部５０には昇降箱内人間確認装置２５からの信号が送信され、エレベータ制御装置６０は、それぞれのセンサ２１からの信号と、それぞれの制御部５０からの信号と、エレベータ操作装置２２からの信号とを受けるとともに、エレベータ駆動装置２３、昇降箱扉開閉装置２４を駆動制御し、また、それぞれの防災用シャッター装置１０，４０の開放閉鎖も制御する。
【０１３９】
それぞれの制御部５０は、図４で示した制御系における集中制御装置２０の機能と同じ機能を分散負担して達成するものとなっており、それぞれの制御部５０の間で情報の送受信を行うことにより、前述したものと同じ制御内容を実現できる。
【産業上の利用可能性】
【０１４０】
本発明は、火災等の災害発生時においてエレベータ等の昇降装置により避難するために利用することができる。
【図面の簡単な説明】
【０１４１】
【図１】本発明の一実施形態に係る昇降装置であるエレベータを示す正面図である。
【図２】図１のＳ２−Ｓ２線断面図である。
【図３】それぞれの階に防災用閉鎖手段である防災用シャッター装置が設置されていることを示す建物の概念的縦断面図である。
【図４】それぞれの防災用シャッター装置を制御するための制御系を示すブロック図である。
【図５】防災用シャッター装置の１番目の制御内容を示すフローチャートである。
【図６】図５の制御内容を（Ａ）（Ｂ）（Ｃ）の順番で示す図である。
【図７】防災用シャッター装置の２番目の制御内容を示すフローチャートである。
【図８】図７の制御内容を（Ａ）（Ｂ）（Ｃ）の順番で示す図である。
【図９】防災用シャッター装置の３番目の制御内容を示すフローチャートである。
【図１０】防災用シャッター装置の４番目の制御内容を示すフローチャートである。
【図１１】防災用シャッター装置の５番目の制御内容を示すフローチャートである。
【図１２】脱出口を有する防災用シャッター装置を示す図１と同様の図である。
【図１３】防災用シャッター装置の６番目の制御内容を示すフローチャートである。
【図１４】防災用シャッター装置の７番目の制御内容を示すフローチャートである。
【図１５】それぞれの防災用シャッター装置を制御するための図４とは異なる実施形態に係る制御系を示すブロック図である。
【符号の説明】
【０１４２】
１  昇降装置であるエレベータ
２  エレベータシャフト
３  昇降箱
４  昇降箱の扉
６  エレベータ扉
１０，４０  防災用閉鎖手段である防災用シャッター装置
１２  巻取軸
１５，４５  シャッターカーテン
２０  制御手段である集中制御装置
２１  火災検知センサ
４６Ａ  脱出口
【図１】
2006312063.tif 000003
【図２】
2006312063.tif 000004
【図３】
2006312063.tif 000005
【図４】
2006312063.tif 000006
【図５】
2006312063.tif 000007
【図６】
2006312063.tif 000008
【図７】
2006312063.tif 000009
【図８】
2006312063.tif 000010
【図９】
2006312063.tif 000011
【図１０】
2006312063.tif 000012
【図１１】
2006312063.tif 000013
【図１２】
2006312063.tif 000014
【図１３】
2006312063.tif 000015
【図１４】
2006312063.tif 000016
【図１５】
2006312063.tif 000017